(57)【要約】      （修正有）【課題】鏡筒に光学素子を保持させる保持装置において、鏡筒サイズの拡大を抑えながら、温度変化による光学素子と鏡筒との間の熱膨張の差によって生じる光学素子のズレや変形などを抑制することができる保持装置、光学装置を提供する。【解決手段】外周を有する光学素子３を鏡筒２に保持する保持装置は、光学素子３を支持する支持部材５と、支持部材５に、光学素子３の外周に接する状態を維持させるための矯正部材４を有する。支持部材５は、光学素子３の外周に接する接触点５３と、鏡筒２に接続する接続点５２と、矯正部材４に接続する接続点５４を有する。光学素子３と鏡筒２と矯正部材４の材料は異なる熱膨張係数を示して大小関係を有し、中間の熱膨張係数は、矯正部材４もしくは光学素子３が有することを特徴とする。【選択図】図２
2019045661.tif 000002
【特許請求の範囲】
【請求項１】
外周を有する光学素子を鏡筒に保持する保持装置であって、
前記光学素子を支持する支持部材と、前記支持部材に、前記光学素子の外周に接する状態を維持させるための矯正部材と、を有し、
前記支持部材と前記矯正部材は前記鏡筒に対して前記鏡筒の軸方向にずれて配置され、
前記支持部材は、前記光学素子の外周に接する光学素子接触点と、前記鏡筒に接続する鏡筒接続点と、前記矯正部材に接続する矯正部材接続点と、を有し、
前記鏡筒と前記矯正部材と前記光学素子の材料の熱膨張係数は大小関係を有し、
前記支持部材において、最大の熱膨張係数と最小の熱膨張係数との間の熱膨張係数を有する部材の前記接続点ないし接触点は、最大の熱膨張係数を有する部材の前記接続点ないし接触点と最小の熱膨張係数を有する部材の前記接続点ないし接触点との間に位置することを特徴とする保持装置。
【請求項２】
複数の前記支持部材が設けられることを特徴とする請求項１に記載の保持装置。
【請求項３】
それぞれ部材の材料の熱膨張係数は、
光学素子＜矯正部材＜鏡筒、もしくは、光学素子＞矯正部材＞鏡筒
の大小関係を有し、
前記支持部材のそれぞれにおいて、前記矯正部材接続点は前記光学素子接触点と前記鏡筒接続点との間に位置することを特徴とする請求項２に記載の保持装置。
【請求項４】
それぞれ部材の材料の熱膨張係数は、
矯正部材＜光学素子＜鏡筒、もしくは、矯正部材＞光学素子＞鏡筒
の大小関係を有し、
前記支持部材のそれぞれにおいて、前記光学素子接触点は前記矯正部材接続点と前記鏡筒接続点との間に位置することを特徴とする請求項２に記載の保持装置。
【請求項５】
前記支持部材は、前記鏡筒の軸方向と交差する面に平行な前記鏡筒の端面に、前記鏡筒の軸方向と直交する径方向に搖動可能に取り付けられていることを特徴とする請求項１から４の何れか一項に記載の保持装置。
【請求項６】
前記支持部材は、前記鏡筒の軸方向と平行に伸びていることを特徴とする請求項５に記載の保持装置。
【請求項７】
前記支持部材は、前記鏡筒の軸方向と交差する面に平行な前記鏡筒の端面と平行に伸びていることを特徴とする請求項５に記載の保持装置。
【請求項８】
前記支持部材は、前記鏡筒の軸方向と交差する面に平行な前記鏡筒の端面から前記鏡筒の軸方向と平行な方向に突出した突起部の側面に、前記鏡筒の軸方向と直交する径方向に搖動可能に取り付けられていることを特徴とする請求項７に記載の保持装置。
【請求項９】
前記支持部材は、前記鏡筒の軸方向に前記矯正部材と重なって設けられていることを特徴とする請求項７または８に記載の保持装置。
【請求項１０】
前記支持部材は、前記矯正部材と前記鏡筒の軸方向に同幅であることを特徴とする請求項９に記載の保持装置。
【請求項１１】
前記支持部材の光学素子接触点は、前記光学素子の外周と相対移動可能に接触していることを特徴とする請求項１から１０の何れか一項に記載の保持装置。
【請求項１２】
前記支持部材は前記鏡筒と一体であり、前記支持部材の鏡筒接続点は、前記支持部材における他の部位よりも厚みが薄い弾性ヒンジであることを特徴とする請求項１から１１の何れか一項に記載の保持装置。
【請求項１３】
前記支持部材は、前記鏡筒の軸方向の周りに等角度間隔で配置されていることを特徴とする請求項２に記載の保持装置。
【請求項１４】
前記光学素子は、前記鏡筒の軸方向の周りに回転対称な形状を有することを特徴とする請求項１から１３の何れか一項に記載の保持装置。
【請求項１５】
前記接続点ないし接触点の前記鏡筒の軸方向ないし前記鏡筒の軸方向と直交する周方向の配置関係が、前記光学素子と前記鏡筒と前記矯正部材のそれぞれの材料の熱膨張係数の値に基づいて設計されていることを特徴とする請求項１から１４の何れか一項に記載の保持装置。
【請求項１６】
請求項１から１５の何れか一項に記載の保持装置と、前記保持装置により保持された光学素子と、を有することを特徴とする光学装置。
【発明の詳細な説明】
【技術分野】
【０００１】
本発明は、光学素子を保持する保持装置、当該保持装置を含む望遠鏡などの光学装置に関する。
【背景技術】
【０００２】
温度が変化する環境下にて使用される光学装置では、光学素子とそれを支持する鏡筒との間の熱膨張の差によって光学素子のズレ、変形などが生じるため、光学性能の劣化や部品の破損が課題となっている。特許文献１に記載の技術では、その対策として、鏡筒の外側に追加した熱膨張率の異なる追加部材により光学素子を保持することで光学素子と鏡筒との熱膨張量を相殺して、その差による不都合を抑制している。
【先行技術文献】
【特許文献】
【０００３】
【特許文献１】特許第5317624号
【発明の概要】
【発明が解決しようとする課題】
【０００４】
しかし、上記特許文献１の技術では、光学素子と鏡筒との間の熱膨張量差に相当する熱膨張量を得るために、追加部材に一定の長さを持たせることを必要とする。このため、鏡筒の外形寸法に制約がある光学装置では、採用することが容易ではない。
【課題を解決するための手段】
【０００５】
上記課題に鑑み、本発明の、外周を有する光学素子を鏡筒に保持する保持装置は、前記光学素子を支持する支持部材と、前記支持部材に、前記光学素子の外周に接する状態を維持させるための矯正部材と、を有する。前記支持部材と前記矯正部材は前記鏡筒に対して前記鏡筒の軸方向にずれて配置され、前記支持部材は、前記光学素子の外周に接する光学素子接触点と、前記鏡筒に接続する鏡筒接続点と、前記矯正部材に接続する矯正部材接続点と、を有する。前記光学素子と前記鏡筒と前記矯正部材の材料の熱膨張係数は大小関係を有し、前記支持部材において、最大の熱膨張係数と最小の熱膨張係数との間の熱膨張係数を有する部材の前記接続点ないし接触点は、最大の熱膨張係数を有する部材の前記接続点ないし接触点と最小の熱膨張係数を有する部材の前記接続点ないし接触点との間に位置する。
【発明の効果】
【０００６】
本発明の一側面によれば、鏡筒に光学素子を保持させる保持装置において、鏡筒サイズの拡大を抑えながら、温度変化による光学素子と鏡筒との間の熱膨張の差によって生じる光学素子のズレや変形などを抑制することができる。
【図面の簡単な説明】
【０００７】
【図１】実施形態１の一構造の説明図。
【図２】温度が変化した場合の効果の説明図。
【図３】実施形態１の他の構造の説明図。
【図４】実施形態２の一構造の説明図。
【図５】実施形態２の他の構造の説明図。
【図６】保持装置を搭載した光学装置の例の説明図。
【発明を実施するための形態】
【０００８】
本発明の一側面による保持装置では、鏡筒に対して光学素子を支持する支持部材と、支持部材に、光学素子の外周に適切に接する状態を維持させるための矯正部材と、を有し、これら支持部材と矯正部材は鏡筒に対してその軸の方向にずれて配置される。これにより、鏡筒の軸方向と直交する径方向の外形寸法の増大を抑制することができる。光学素子と鏡筒と矯正部材との材料の熱膨張係数は大小関係を有する。支持部材は、光学素子の外周に接する光学素子接触点と、鏡筒に接続する鏡筒接続点と、矯正部材に接続する矯正部材接続点と、を有する。そして、支持部材において、最大の熱膨張係数と最小の熱膨張係数との間の熱膨張係数を有する部材の接続点ないし接触点は、最大の熱膨張係数を有する部材の接続点ないし接触点と最小の熱膨張係数を有する部材の接続点ないし接触点との間に位置する。こうして、光学素子と鏡筒との熱膨張係数の差を、矯正部材を用いて補償する。つまり、前記差があっても、支持部材に光学素子の外周に適切に接する状態を維持させる。典型的には、支持部材と矯正部材は、軸方向に重なって配置され、軸方向の過度なサイズ拡大を防止することができる。また、典型的には、複数の支持部材が用いられる。鏡筒が回転対称な形状であれば、鏡筒の軸は回転対称形状の中心軸となる。光学素子が回転対称な形状であれば、その中心軸が光軸となる。前記接続点ないし接触点の鏡筒の軸方向ないし該軸方向の周りの周方向の配置関係は、支持部材による光学素子の確実且つ適切な保持を確保するという観点から、光学素子と鏡筒と矯正部材との熱膨張係数の値に基づいて設計される。
【０００９】
以下、図面を参照しつつ本発明の実施例を説明する。各図において、同一の部材については同一の参照番号を付する。
【００１０】
（実施例１）
本実施例では、光学素子を鏡筒に保持する保持装置の例を示す。本実施例では光学素子としてレンズを用いた例を示すが、保持対象は、ミラー、平行平板ガラス、プリズム、フレネルゾーンプレート、キノフォーム、バイナリオプティックス、ホログラムなどのいずれの光学素子であってもよい。
【００１１】
図１は、実施例１における保持装置１の概念ないし一構造を説明するための光軸６に平行な面における断面図である。円筒形の鏡筒２は、支持部材である、光軸の上側と下側の２つのレバー部５により、半径Ｒのレンズ３をその中心が光軸６上に位置するよう保持している。上下それぞれのレバー部５の中ほど（光軸方向における中ほど）にて、リング状の矯正部材４が接続されている。レバー部５は、レンズ３の側面ないし外周に適合する形状の先端部を有し、例えば、円弧状の内面を持つ形状、ロッド状などの部材である。本実施例では、レバー部５は、鏡筒接続点５２において、光軸６と交差する面内の鏡筒２の端面に、光軸６に垂直な径の方向に搖動可能ないし屈曲可能に設けられている。矯正部材４は円筒状の形状を有し、その内面に接続点５４が形成されている。レバー部５は接続点５２にて鏡筒２と接続され、矯正部材４は接続点５４にてレバー部５に接続されている。接続点５２、５４では、部材間は物理的ないし材料的に連結されている。レバー部５がレンズ３を保持ないし支持している箇所（本実施例では前記先端部）をレンズ接触点（光学素子接触点）５３とする。レンズ接触点５３では、レバー部５とレンズ３の外周とは相対移動可能である。本実施例では、鏡筒２とレンズ３と矯正部材４は光軸に関して回転対称な形状を有しているが、これらは、光軸ないし軸に関して回転対称な形状に限定されるものではない。
【００１２】
レバー部５は２つである必要はなく、円筒型の鏡筒２に対してレンズ３の外周に沿って均等に３か所あれば、より安定的にレンズ３を保持することができる。レバー部５を多数配置することで、更に安定的にレンズ３を保持することが可能である。鏡筒２とレンズ３が、軸ないし光軸の周りに回転対称な形状である場合には、複数のレバー部５は軸の周りに等角度間隔で配置されるのが好ましい。ただし、十分に安定的にレンズ３を保持することが可能であるならば、複数のレバー部５を不等角度間隔で配置することもできる。
【００１３】
鏡筒接続点５２と矯正部材接続点５４のそれぞれは、弾性ヒンジであることが望ましい。弾性ヒンジは、部材の厚みが他の部位よりも薄い部位があることによって容易に弾性変形し、ヒンジのように機能するもので「フレクシャ」とも呼ばれる。弾性ヒンジは摺動部がないため、ガタや摩擦によるヒステリシスがなく、可動部品の高精度化に有効である。図１では、概念的なヒンジを丸い形として示す。本実施例では、鏡筒接続点５２とレバー部５は鏡筒２と一体的に同材料で形成され、矯正部材接続点５４は矯正部材４と一体的に同材料で形成されている。
【００１４】
本実施例では、それぞれの部品の熱膨張係数は以下の関係とする。
レンズ３＜矯正部材４＜鏡筒２
レンズ３よりも鏡筒２の方が膨張しやすいもので形成され、矯正部材４はそれらの間の熱膨張係数を有する。
【００１５】
各接続位置とレンズ３の光軸方向における位置関係は次の通りである。鏡筒接続点５２から距離ａの位置に矯正部材接続点５４が配置され、鏡筒接続点５２から距離ｂの位置にレンズ接触点５３が配置される。
【００１６】
本実施例では、設計の一例としてレンズ半径Ｒ＝５０ｍｍ、距離ｂ＝３０ｍｍとする。各部の材料と、熱膨張係数と、温度がΔＴ＝１０℃上昇したときの熱膨張量［ｍｍ］と、を表１に示す。各部の熱膨張量はそれぞれの接続点の熱膨張を示し、鏡筒２は鏡筒接続点５２の熱膨張量とし、矯正部材４は矯正部材接続点５４の熱膨張量とする。接触点の半径方向の位置はレンズ３と同じＲ＝５０ｍｍとした。レバー部５は鏡筒２と同じ材料とする。
【００１７】
（表１）
各部材料と熱膨張係数、熱膨張量
2019045661.tif 000003
【００１８】
ここから温度変化が生じた際の各部の挙動を、図２を参照し説明する。図２は、温度がΔＴ＝１０℃上昇したときの各部の膨張と変形の概念図である。レバー部５は、鏡筒２の膨張と矯正部材４の膨張を受けて斜めに傾きながら変位する。それぞれの接続点５２、５４の弾性ヒンジは十分に柔らかく屈曲できるとする。鏡筒２における鏡筒接続点５２の半径方向の膨張量は０．０１１９０［ｍｍ］、矯正部材４における矯正部材接続点５４の半径方向の膨張量は０．００８６５［ｍｍ］である。このとき、距離ａを１１．４７０６［ｍｍ］とすると、レバー部５の先端のレンズ接触点５３の半径方向の変位は以下の通りとなる。
0.01190+{(0.00865-0.01190)/11.4706}*30.0000=0.00340［ｍｍ］
【００１９】
上記の距離ａの場合、レバー部５におけるレンズ接触点５３の変位は、レンズ３の外径の熱膨張と一致する。つまり、温度変化によっても、レンズ３の熱膨張量（半径方向）とレバー部５の先端の熱膨張量（半径方向）が一致するため、レンズ３がズレることなく、レンズ３の中心を光軸６上に維持することができる。この関係は温度が低下したときでも同様である。
【００２０】
これに対して、レバー部や矯正部材を備えない従来の鏡筒の場合、鏡筒が０．０１１９０［ｍｍ］膨張するのに対し、レンズが０．００３４０［ｍｍ］しか膨張しないので、０．００７５０［ｍｍ］の隙間が生じるため、レンズがズレる可能性がある。
【００２１】
上記の熱膨張の関係においては、それぞれの接続点５２、５４の半径が同じＲ＝５０ｍｍであることを前提としている。しかしながら、実際の設計においてはそれぞれの接続点の半径を同一にできない場合がある。例えば、レバー部５の厚みによって鏡筒接続点５２と矯正部材接続点５４の半径が５０ｍｍよりも大きくなる場合がある。この場合は、上記膨張量の関係においてレバー部５の厚み分の熱膨張量も考慮して設計する必要がある。
【００２２】
レンズ接触点５３においては、レンズ３とレバー部５との間の隙間は、レンズ３のズレなどの観点から、無いか少ないほど好ましい。一方で、レンズ３の外径の加工公差やレバー部５の加工公差などから、設計上ある程度の隙間を設ける必要がある。隙間は加工精度とレンズのズレ許容量から設計されるが、本実施例であれば、温度変化が生じても設定された隙間を維持することが可能である。
【００２３】
図２の構成は、概念説明のための基本的な構成のため、レバー部５を光軸に平行に配置していて光軸方向の寸法が比較的長い。光軸方向に長いと実際の光学設計・機械設計における設計自由度が低くなってしまいがちである。そこで図３に示すように、レバー部５をレンズ５の外周の円周方向に沿って配置することで、光軸方向の寸法を短く抑えることができる。図３の保持装置１の構成も、図２と同様に、レンズ３、矯正部材４、レバー部５、鏡筒接続点５２、レンズ接触点５３、矯正部材接続点５４、図３では不図示の鏡筒２を含む。鏡筒２はレバー部５の裏側に配置され、レバー部５と鏡筒２とは鏡筒接続点５２にて接続される。より具体的には、例えば、鏡筒２の端面から光軸方向に突出した短い突起部の側面に、弾性ヒンジである接続点５２を介して円弧状のレバー部５が設けられる。リング状の矯正部材４は、弾性ヒンジである接続点５４を介して各レバー部５に接続される。レバー部５と矯正部材４とは、光軸方向において、ほぼ同位置にほぼ同幅で設けられる。
【００２４】
この場合、図３の距離ａ’と距離ｂ’は、図２における距離ａと距離ｂとの比率と同じ比率で設定すれば良い。図２の概念図では、光軸方向のレバー部５の膨張は無視でき考慮する必要がなかったが、図３の構成では、レバー部５の円周方向の膨張が鏡筒接続点５２の半径方向の膨張量に影響する。よって、図３の構成の設計においては、レバー部５の円周方向の膨張を考慮して距離ａ’と距離ｂ’の比を設定する必要がある。また、矯正部材４の矯正部材接続点５４の半径も鏡筒接続点５２の半径とは異なるため、それぞれ部材の接続位置の半径も考慮する必要がある。
【００２５】
図３のレバー部５は円周方向に３か所配置されているが、例えば４か所、９か所といったように多数配置することで、鏡筒２によって、より安定的にレンズ３を保持することができる。しかしながら、レバー部５の個数を増やすと、レバー部５の円周方向の長さである距離ｂ’と、それに対応した鏡筒接続点５２と矯正部材接続点５４との間の円周方向の長さである距離ａ’も短くなる。距離が短くなるとそれぞれの距離の設定敏感度が高くなる。したがって、必要とされるレンズ３の保持安定性と距離の設定敏感度からレバー部５の配置点数を最適化することが望ましい。
【００２６】
また、図１の構成では、本実施例の熱膨張係数の大小関係［レンズ３＜矯正部材４＜鏡筒２］の符号が逆転しても成り立つ。つまり［レンズ３＞矯正部材４＞鏡筒２］の場合である。この場合の表２に、材料と、各部の熱膨張係数と、温度がΔＴ＝１０℃上昇したときの熱膨張量と、を示す。レバー部５は鏡筒２と同じ材料とする。
【００２７】
（表２）
各部材料と熱膨張係数、熱膨張量
2019045661.tif 000004
【００２８】
この場合、鏡筒接続点５２から、矯正部材４が接続される矯正部材接続点５４までの距離ａを１０．２３９５［ｍｍ］とすると、レバー部５の先端のレンズ接触点５３の半径方向の変位は以下の通りとなる。
0.00495+{(0.01350-0.00495)/10.2395}*30.0000=0.03000［ｍｍ］
レバー部５におけるレンズ接触点５３の変位は、レンズ３の外径の熱膨張量と一致する。つまり、温度変化によっても、半径方向においてレンズ３の熱膨張量とレバー部５の熱膨張量が一致するため、レンズ３がズレることなく、レンズ３の中心を光軸６上に維持することができる。これにより、温度が変化する環境下で運用される光学装置において、温度変化によって光学素子と鏡筒との間の熱膨張の差によって光学素子のズレや変形などが生じることによる光学性能の劣化や部品の破損を防止できる。こうして、光学素子と鏡筒とは異なる熱膨張係数の矯正部材と、レバー部（支持部材）とによって、温度変化が生じても光学素子を鏡筒に対して適切な位置に維持することができる。
【００２９】
（実施例２）
図４及び図５を参照して実施例２を説明する。実施例２では、実施例１と異なり、各部材の熱膨張係数は以下の関係とする。
矯正部材４＜レンズ３＜鏡筒２
レンズ３よりも鏡筒２の方が膨張しやすいが、実施例１と異なり矯正部材４の熱膨張がレンズ３及び鏡筒２よりも小さい構成である。
【００３０】
実施例２は実施例１と、構成する部品は同様であるが、各接続点の位置が異なる。各接続位置とレンズ３との光軸方向の位置関係は、鏡筒接続点５２から距離ａの位置に矯正部材接続点５４が配置され、鏡筒接続点５２から距離ｂの位置にレンズ接触点５３が配置される。距離ａ＞距離ｂである。
【００３１】
本実施例では、設計の一例としてレンズ半径Ｒ＝５０ｍｍ、鏡筒接続点５２からレンズ接触点５３までの距離ｂ＝１０ｍｍとする。各部の材料と、熱膨張係数と、温度が１０［℃］上昇したときの熱膨張量［ｍｍ］と、を表３に示す。各接続点の熱膨張量は、鏡筒接続点５２の熱膨張量と矯正部材接続点５４の熱膨張量とする。レンズ接触点５３の半径方向の位置を実施例１と同じＲ＝５０ｍｍとした。レバー部５は鏡筒２と同じ材料とする。
【００３２】
（表３）
各部材料と熱膨張係数、熱膨張量
2019045661.tif 000005
【００３３】
ここから温度変化が生じた際の各部の挙動を説明する。鏡筒２における鏡筒接続点５２の半径方向の膨張量は０．０４０００［ｍｍ］、矯正部材４における矯正部材接続点５４の半径方向の膨張量は０．００４９５［ｍｍ］である。このとき、光軸方向の、鏡筒接続点５２から矯正部材接続点５４までの距離ａを３５．０５００［ｍｍ］とすると、レバー部５のレンズ接触点５３の半径方向の変位は以下の通りとなる。
0.04000+{(0.00495-0.04000)/35.0500}*10.0000=0.03000［ｍｍ］
【００３４】
上記の距離ａの場合、レバー部５におけるレンズ接触点５３の変位は、レンズ３の外径の熱膨張と一致する。つまり、温度変化によっても、半径方向において、レンズ３の熱膨張量とレバー部５の熱膨張量とが一致するため、レンズ３がズレることなく、レンズの中心を光軸６上に維持することができる。
【００３５】
実施例１の図３と同様に、図４の構成は光軸方向の寸法が長いため実際の光学設計・機械設計における設計自由度は低い。図５に示す構成とすることで光軸方向の寸法を短く抑えることができる。図４と同様に、構成は、鏡筒２、レンズ３、矯正部材４、レバー部５、鏡筒接続点５２、レンズ接触点５３、矯正部材接続点５４を含む。
【００３６】
図５の距離ａ’と距離ｂ’は、図４における距離ａと距離ｂとの比率と同じ比率で設定すれば良い。図３と同様に、図５の構成ではレバー部５の円周方向の膨張が鏡筒接続点５２の半径方向の膨張量に影響する。よって、設計においてはレバー部５の円周方向の膨張を考慮して距離ａ’と距離ｂ’の比を設定する必要がある。
【００３７】
また、実施例１と同様に、本実施例の熱膨張係数の大小関係［矯正部材４＜レンズ３＜鏡筒２］の符号を逆転しても本構成は成り立つ。つまり［矯正部材４＞レンズ３＞鏡筒２］の場合である。表４に、材料と、各部の熱膨張係数と、温度がΔＴ＝１０℃上昇したときの熱膨張量と、を示す。レバー部５は鏡筒２と同じ材料とする。
【００３８】
（表４）
各部材料と熱膨張係数、熱膨張量
2019045661.tif 000006
【００３９】
この場合、鏡筒接続点５２から矯正部材接続点５４までの距離ａ’を１３．９９２０［ｍｍ］とすると、レバー部５のレンズ接触点５３の半径方向の変位は以下の通りとなる。
0.00495+{(0.04000-0.00495)/13.99200}*10.0000=0.03000［ｍｍ］
【００４０】
レバー部５におけるレンズ接触点５３の変位は、レンズ３の外径の熱膨張量と一致する。つまり、温度変化によっても、レンズ３の熱膨張量とレバー部５の熱膨張量とが一致するため、レンズ３がズレることなく、レンズの中心を光軸６上に維持することができる。
【００４１】
更に、熱膨張係数の大小関係として鏡筒２が中間の熱膨張係数をもつ場合、つまり［矯正部材４＜鏡筒２＜レンズ３］の場合と［矯正部材４＞鏡筒２＞レンズ３］の場合とに本発明を適用することもできる。この場合、図３と図５のレバー部５において、鏡筒接続点５２をレンズ接触点５３と矯正部材接続点５４の間に配置し、上記の如き計算に基づいて距離ａ’と距離ｂ’を適宜に設定する。これらの構成例では、鏡筒接続点５２は、その周りでレバー部５が、鏡筒２の端面で規定される平面内で搖動できるように構成される。例えば、鏡筒２の端面から光軸方向に伸びた適宜断面の短軸により鏡筒接続点５２を構成することができる。
【００４２】
（実施例３）
上記実施例の保持装置を含む光学装置１００に係る実施例３を説明する。本実施例では、光軸６の方向に配置された２つのレンズが上記実施例の保持装置１により鏡筒に対して保持されている。一方のレンズ１０１は比較的熱の影響を受けやすい径の大きいレンズであり、他方のレンズ１０２は比較的熱の影響を受けやすい薄いレンズである。こうした構成では、温度変化に対してレンズの偏芯を発生させず、高画質（高い光学的性能）を維持できる効果がある。保持装置１により保持される光学素子の形状は、光軸６に関して回転対称の形状に限定されるものではない
【００４３】
以上、本発明の好ましい実施例について説明したが、本発明は、これらの実施例に限定されず、その要旨の範囲内で種々の変形および変更が可能である。
【符号の説明】
【００４４】
１      保持装置
２      鏡筒
３      レンズ（光学素子）
４      矯正部材
５      レバー部（支持部材）
６      光軸（軸）
５２    鏡筒接続点
５３    レンズ接触点（光学素子接触点）
５４    矯正部材接続点
【図１】
2019045661.tif 000007
【図２】
2019045661.tif 000008
【図３】
2019045661.tif 000009
【図４】
2019045661.tif 000010
【図５】
2019045661.tif 000011
【図６】
2019045661.tif 000012